(57)【要約】【課題】ＬＥＤが雨水によって劣化するのを防止でき、剛性が高く、見栄えが良く、かつ簡易な構造のＬＥＤ表札を提供する。【解決手段】おもて面に名前またはデザインである表示部１１が形成され、裏面の、表示部１１と重ならない部分におもて面に対して非貫通の凹部１２が形成された表示用プレート１０と、凹部１２に収納されたＬＥＤ２０と、ＬＥＤ２０に電力を供給する回路２３，２４と、表示用プレート１０のおもて面の、凹部１２と重なる部分に取付けられ、少なくとも、ＬＥＤ２０を覆い隠す大きさで非透光性材料である装飾プレート３０と、を備え、ＬＥＤ２０からの光で表示部１１を輝かせる。【選択図】図１
2011221184.tif 000002
【特許請求の範囲】
【請求項１】
おもて面に名前またはデザインである表示部が形成され、裏面の、前記表示部と重ならない部分に前記おもて面に対して非貫通の凹部が形成された表示用プレートと、
前記凹部に収納されたＬＥＤと、
前記ＬＥＤに電力を供給する回路と、
前記表示用プレートのおもて面の、前記凹部と重なる部分に取付けられ、少なくとも、前記ＬＥＤを覆い隠す大きさで非透光性材料である装飾プレートと、を備え、
前記ＬＥＤからの光で前記表示部を輝かせることを特徴とするＬＥＤ表札。
【請求項２】
前記表示用プレートの前記装飾プレートが取付けられる部分を、他の部分より光透過性の高い高透過部としたことを特徴とする請求項１に記載のＬＥＤ表札。
【請求項３】
前記装飾プレートをステンレス板で形成したことを特徴とする請求項１又は２に記載のＬＥＤ表札。
【請求項４】
裏面に、おもて面に対して非貫通の凹部が形成されたベースプレートと、
前記凹部に収納されたＬＥＤと、
前記ＬＥＤに電力を供給する回路と、
前記ベースプレートのおもて面の、前記凹部と重なる部分に取付けられ、少なくとも、前記ＬＥＤを覆い隠す大きさであるとともに、名前またはデザインである表示部が略中央部に形成されその表示部を除く部分を非透光性材料で形成してなる表示プレートと、を備え、
前記ＬＥＤからの光で前記表示部を輝かせることを特徴とするＬＥＤ表札。
【請求項５】
前記ベースプレートのおもて面の、前記凹部と重なる部分に、開口部を有する装飾板を取付けるとともに、前記表示プレートを前記装飾板の上に重ねて前記開口部を介して導かれる前記ＬＥＤからの光で前記表示部を輝かせることを特徴とする請求項４に記載のＬＥＤ表札。
【請求項６】
裏面に、おもて面に対して非貫通の凹部が形成されたベースプレートと、
前記凹部に収納されたＬＥＤと、
前記ＬＥＤに電力を供給する回路と、
前記ベースプレートのおもて面の、前記凹部と重なる部分に形成され、少なくとも、前記ＬＥＤを覆い隠す大きさであるとともに、名前またはデザインである表示部が略中央部に形成されその表示部を除く部分を非透光性材料で形成してなる表示膜と、を備え、
前記ＬＥＤからの光で前記表示部を輝かせることを特徴とするＬＥＤ表札。
【発明の詳細な説明】
【技術分野】
【０００１】
本発明は、ＬＥＤ表札に関する。より詳細には、ＬＥＤ（発光ダイオード）を利用した発光機能を有する表札に関するものである。
【背景技術】
【０００２】
ＬＥＤ（発光ダイオード）を表札の裏側あるいは側端部から発光させて、夜間でも判読可能にした表札が開示されている（例えば、特許文献１、２参照）。
【先行技術文献】
【特許文献】
【０００３】
【特許文献１】特許第３７８０４５９号公報
【特許文献２】特開２００８−３３３７８号公報
【０００４】
特許文献１に記載の発明は、ガラスや樹脂で形成され、ＬＥＤからの光を透す表示プレートを、木材や金属で形成されたベースプレートにボルトで締結して構成したものであり、表示プレートに、ボルトを挿通するための挿通孔を、板厚方向に貫通させている。また、ボルトの内部には窓部を有する空洞部を形成し、空洞部に挿入したＬＥＤの光を窓部から表示プレートに向けて発光させている。さらに、ボルトの先端部を表示プレートのおもて面から突出させ、その突出部分に袋ナットを螺合させている。
【０００５】
また、特許文献２に記載の発明は、表示プレートのコーナーを把持する把持具にＬＥＤを収容するように構成し、ＬＥＤの交換が容易に行えるようにしている。
【発明の概要】
【発明が解決しようとする課題】
【０００６】
特許文献１に記載の発明は、表示プレートのおもて面に突出させたボルトに袋ナットを螺合しているので、ボルトと袋ナットの螺合部分（表示プレートのおもて面）から雨水が侵入し、窓部を通ってＬＥＤに達する。従って、侵入した雨水でＬＥＤが劣化し易いといった問題がある。また、表示プレートに挿通穴を形成しているので、その剛性を低下させてしまうといった問題もある。さらに、ボルトと袋ナットの螺合部分に水が溜まり、錆が発生し、あるいは汚れが付着してしまい、ＬＥＤ表札の見栄えが悪くなるといった問題もある。
【０００７】
また、特許文献２に記載の発明は、把持片の構造が複雑であり、製造が厄介であり、製造コストが嵩むといった問題がある。
【０００８】
そこで、本発明の目的とするところは、ＬＥＤが雨水によって劣化するのを防止でき、剛性が高く、見栄えが良く、かつ簡易な構造のＬＥＤ表札を提供することにある。
【課題を解決するための手段】
【０００９】
上記の目的を達成するために、本発明の請求項１に記載のＬＥＤ表札（１）は、おもて面に名前またはデザインである表示部（１１）が形成され、裏面の、前記表示部（１１）と重ならない部分に前記おもて面に対して非貫通の凹部（１２）が形成された表示用プレート（１０）と、前記凹部（１２）に収納されたＬＥＤ（２０）と、前記ＬＥＤ（２０）に電力を供給する回路（２３，２４）と、前記表示用プレート（１０）のおもて面の、前記凹部（１２）と重なる部分に取付けられ、少なくとも、前記ＬＥＤ（２０）を覆い隠す大きさで非透光性材料である装飾プレート（３０）と、を備え、前記ＬＥＤ（２０）からの光で前記表示部（１１）を輝かせることを特徴とする。
【００１０】
また、請求項２に記載のＬＥＤ表札（１）は、前記表示用プレート（１０）の前記装飾プレート（３０）が取付けられる部分を、他の部分より光透過性の高い高透過部（１３）としたことを特徴とする。
【００１１】
また、請求項３に記載のＬＥＤ表札（１）は、前記装飾プレート（３０）をステンレス板で形成したことを特徴とする。
【００１２】
また、請求項４に記載のＬＥＤ表札（１）は、裏面に、おもて面に対して非貫通の凹部（１２）が形成されたベースプレート（４０）と、前記凹部（１２）に収納されたＬＥＤ（２０）と、前記ＬＥＤ（２０）に電力を供給する回路（２３，２４）と、前記ベースプレート（４０）のおもて面の、前記凹部（１２）と重なる部分に取付けられ、少なくとも、前記ＬＥＤ（２０）を覆い隠す大きさであるとともに、名前またはデザインである表示部（１１）が略中央部に形成されその表示部を除く部分を非透光性材料で形成してなる表示プレート（４１）と、を備え、前記ＬＥＤ（２０）からの光で前記表示部（１１）を輝かせることを特徴とする。
【００１３】
また、請求項５に記載のＬＥＤ表札（１）は、前記ベースプレート（４０）のおもて面の、前記凹部（１２）と重なる部分に、開口部（４２ａ）を有する装飾板（４２）を取付けるとともに、前記表示プレート（４１）を前記装飾板（４２）の上に重ねて前記開口部（４２ａ）を介して導かれる前記ＬＥＤ（２０）からの光で前記表示部（１１）を輝かせることを特徴とする。
【００１４】
また、請求項６に記載のＬＥＤ表札（１）は、裏面に、おもて面に対して非貫通の凹部（１２）が形成されたベースプレート（４０）と、前記凹部（１２）に収納されたＬＥＤ（２０）と、前記ＬＥＤ（２０）に電力を供給する回路（２３，２４）と、前記ベースプレート（４０）のおもて面の、前記凹部（１２）と重なる部分に形成され、少なくとも、前記ＬＥＤ（２０）を覆い隠す大きさであるとともに、名前またはデザインである表示部（１１）が略中央部に形成されその表示部を除く部分を非透光性材料で形成してなる表示膜（４５）と、を備え、前記ＬＥＤ（２０）からの光で前記表示部（１１）を輝かせることを特徴とする。
【００１５】
なお、カッコ内の記号は、図面および後述する発明を実施するための形態に記載された対応要素または対応事項を示す。
【発明の効果】
【００１６】
本発明の請求項１に記載のＬＥＤ表札によれば、光によって表示部を輝かせる機能を有するＬＥＤを、表示用プレートの裏面におもて面に対して貫通しないように形成した凹部に収納しているので、表示用プレートのおもて面には雨水が浸入してＬＥＤに達する部分が存在しない。従って、ＬＥＤが雨水によって劣化するのを確実に防止することができる。また、ＬＥＤが太陽光によって劣化することも防止される。
【００１７】
また、この表示用プレートは、従来例で示したものとは異なりＬＥＤを収納するための貫通した孔部を持たないので、高い剛性を維持することができる。また、ＬＥＤ用の孔部が存在しないので、表示用プレートのおもて面に錆が発生し、あるいは汚れが付着し、見栄えが悪くなるといった事態も発生しない。
【００１８】
さらに、このＬＥＤ表札は、従来技術のように把持具を必要としないので、構成が極めて簡易である。従って、製造が容易で製造コストも廉価である。
また、表示用プレートの裏面に収納されたＬＥＤは、おもて面に取付けられた、例えば請求項３に記載したようなステンレス板からなる非透光性材料の装飾プレートで覆い隠されるので見栄えが良いのに加えて、装飾プレート自体によってデザイン性を高めることができる。
【００１９】
また、本発明の請求項２に記載のＬＥＤ表札によれば、表示用プレートにおいて装飾プレートが取付けられる部分を、装飾プレートが取付けられていないその他の部分より光透過性の高い高透過部としたので、表示部に加えて装飾プレートが取付けられる部分の周辺についても輝かせることができる。光の濃淡によってデザイン性を一層高めることが出きる。
【００２０】
また、本発明の請求項４に記載のＬＥＤ表札によれば、請求項１記載の発明と同様に、ＬＥＤを、ベースプレートの裏面におもて面に対して貫通しないように形成した凹部に収納しているので、ベースプレートのおもて面には雨水が浸入してＬＥＤに達する部分が存在しない。従って、ＬＥＤが雨水によって劣化するのを確実に防止することができる。また、ＬＥＤが太陽光によって劣化することも防止される。また、このベースプレートは、従来例で示したものとは異なりＬＥＤを収納するための貫通した孔部を持たないので、高い剛性を維持することができる。また、ＬＥＤ用の孔部が存在しないので、ベースプレートのおもて面に錆が発生し、あるいは汚れが付着し、見栄えが悪くなるといった事態も発生しない。
さらに、ＬＥＤについては、表示部が略中央部に形成されその表示部を除く部分を非透光性材料で形成してなる表示プレートで覆い隠すようにしたので見栄えが良い。
【００２１】
また、本発明の請求項５に記載のＬＥＤ表札によれば、表示プレートを装飾板の上に重ねて装飾板の開口部を介して導かれるＬＥＤからの光で表示部を輝かせるようにしたので、光はベースプレートの内部だけでなく開口部となる空間も通過して表示部に導かれる。これにより表示部のエッヂの部分だけでなく内部についても明るく輝かせることができる。また、ベースプレートと表示プレートの間に装飾板を設けたのでデザイン性が向上する。
【００２２】
また、本発明の請求項６に記載のＬＥＤ表札によれば、請求項１記載の発明と同様に、ＬＥＤを、ベースプレートの裏面におもて面に対して貫通しないように形成した凹部に収納しているので、ベースプレートのおもて面には雨水が浸入してＬＥＤに達する部分が存在しない。従って、ＬＥＤが雨水によって劣化するのを確実に防止することができる。また、ＬＥＤが太陽光によって劣化することも防止される。また、このベースプレートは、従来例で示したものとは異なりＬＥＤを収納するための貫通した孔部を持たないので、高い剛性を維持することができる。また、ＬＥＤ用の孔部が存在しないので、ベースプレートのおもて面に錆が発生し、あるいは汚れが付着し、見栄えが悪くなるといった事態も発生しない。
さらに、ＬＥＤについては、表示部が略中央部に形成されその表示部を除く部分を非透光性材料で形成してなる表示膜で覆い隠すようにしたので見栄えが良い。また、表示部を表示膜に形成しているので全体的に厚みを薄くすることができさらに見栄えが良い。
【図面の簡単な説明】
【００２３】
【図１】本発明の実施形態に係るＬＥＤ表札のおもて面側を示す正面斜視図である。
【図２】本発明の実施形態に係るＬＥＤ表札の裏面側を示す背面斜視図である。
【図３】図１のＡ−Ａ線断面図である。
【図４】図３の要部拡大断面図である。
【図５】図１のＢ−Ｂ線断面図である。
【図６】図５の要部拡大断面図である。
【図７】本発明の実施形態に係るＬＥＤ表札を壁面に取付けた状態を示す側面図である。
【図８】本発明の実施形態におけるＬＥＤの発光状態を示す模式図である。
【図９】本発明の実施形態に係る別のＬＥＤ表札のおもて面側を示す正面斜視図である。
【図１０】図９のＣ−Ｃ線拡大断面図である。
【図１１】本発明の実施形態に係るさらに別のＬＥＤ表札のおもて面側を示す正面斜視図である。
【図１２】図１１のＤ−Ｄ線拡大断面図である。
【発明を実施するための形態】
【００２４】
図１乃至図８を参照して、本発明の実施形態に係るＬＥＤ表札１について説明する。図１は、本発明の実施形態に係るＬＥＤ表札１のおもて面側を示す正面斜視図であり、図２は、その裏面側を示す背面斜視図である。図３は、図１のＡ−Ａ線断面図であり、図４は、図３の要部拡大断面図である。また、図５は、図１のＢ−Ｂ線断面図であり、図６は、図５の要部拡大断面図である。
【００２５】
本発明の実施形態に係るＬＥＤ表札１は、表示用プレート１０、ＬＥＤ（発光ダイオード）２０、ＬＥＤ２０に電力を供給する回路２３，２４および装飾プレート３０を備える。表示用プレート１０は、肉薄（１０ｍｍ前後）で矩形状（正方形でも直方形でもよい）の半透明ガラス（透明ガラスでもよい）で形成され、そのおもて面に表示部１１（ここでは、「山田」および「ｙａｍａｄａ」の文字）が形成されている。また、表示用プレート１０の裏面の、表示部１１と重ならない部分にはおもて面側に貫通しない（非貫通）凹部１２が形成されている。なお、表示部１１として、名前とともに草木などのデザインを施すことができる。
【００２６】
この表示用プレート１０は、板ガラスの他に、アクリル板などの樹脂材やフュージングガラスで構成することができる。フュージングガラスとは、透明ガラスの上に色つきガラスを重ね、電気炉内で熱融着させたものである。
【００２７】
また、この表示用プレート１０には取付穴１５を穿設し、図７に示すように、その取付穴１５に挿通するねじ釘などの取付部材１４によって壁面Ｗに固定するようにしている。この取付穴１５は、図１および図２に示すように、ＬＥＤ２０が設けられている左側部分とは逆の右側端部に形成している。そのため、取付穴１５から雨水が侵入することがあっても、その水はＬＥＤ２０に到達し難く、よって、ＬＥＤ２０の雨水による劣化を防ぐことができる。なお、図７に示すように、表示用プレート１０の外周端と壁面Ｗとの間にシール材Ｓを充填することによって、雨水の侵入を防止することができる。
【００２８】
表示用プレート１０のおもて面に形成された表示部１１は、高圧エアで金剛砂などの堅くて細かい砂を吹き付けるサンドブラスト方法によって形成することができるが、これに代えて、レーザーなどによって彫刻したり、あるいはカッティングシートを容易に剥がれないように貼着したり、さらには、薬剤を使用したエッチング方法によって形成することもできる。
【００２９】
なお、表示部１１は、表示用プレート１０のおもて面のみでなく、裏面、あるいは内部に形成することも可能である。内部に形成する場合は、あらかじめ作成しておいた表示部１１を、板ガラスを製造する際に埋め込んだり、表示用プレート１０を二枚の板ガラスで構成し、その二枚の板ガラスの間に挟み込むなどの手段をとることができる。
【００３０】
ＬＥＤ２０は、基板２１によって支持され、表示用プレート１０の裏面に形成された凹部１２に収納される。このＬＥＤ２０は、図８に示すように、側面方向への発光量が垂直方向への発光量より大きいものを使用しており、これにより、表示部１１に多くの光量を供給している。なお、側面方向への発光量と垂直方向への発光量を同程度にしてもよく、逆に側面方向への発光量を垂直方向への発光量より小さくすることもできる。
なお、ＬＥＤ２０にはＡＣアダプタ２３と差込プラグ２４を接続していてＬＥＤ２０に電力を供給している。このＡＣアダプタ２３によって、１００Ｖの商用交流電源を５Ｖ（又は１２Ｖ）の直流電源に変換する。また、ＬＥＤ２０は、ＡＣアダプタ２３の近傍に設けた光センサー２２によって、自動的に点灯および消灯する。
【００３１】
装飾プレート３０は、肉薄（数ｍｍ）で矩形状のステンレス板で形成され、表示用プレート１０のおもて面の、凹部１２と重なる部分に取付けられており、ＬＥＤ２０を覆い隠す大きさに設定されている。この装飾プレート３０によってＬＥＤ２０が表示用プレート１０のおもて面から視覚されないようにし、デザイン性を高めている。また、この装飾プレート３０は、その上下に設けた二本の固定部材３１によって表示用プレート１０に固定している。
【００３２】
なお、装飾プレート３０の右側端部には、ＬＥＤ２０が視覚されない程度の大きさの窓穴部３２を複数（ここでは上下に３つ）形成し、この窓穴部３２からＬＥＤの光を放射させて、デザイン性をさらに高めている。
【００３３】
この装飾プレート３０は、非透光性材料であれば良く、ステンレス板の他に、他の金属（例えば、銅板やメッキ層を有する鉄板）、木材、樹脂で形成することができる。また、その肉厚および形状は限定されない。
【００３４】
また、本実施形態に係るＬＥＤ表札１は、表示用プレート１０の装飾プレート３０が取付けられる部分である左側部分を、装飾プレート３０が十分に収まる範囲で、他の部分、すなわち右側部分で表示部１１を除く部分より光透過性の高い高透過部１３としている。
【００３５】
この高透過部１３は、サンドブラストで形成したスリガラス状の表示用プレート１０の表面を、フッ化水素と硫酸の混合液で溶かすといったエッチング処理によって形成している。高透過部１３を形成したことにより、表示用プレート１０のおもて面には、他の部分よりも明度の高い高透過部１３とそれに重なる装飾プレート３０によって明暗が形成されるので、このＬＥＤ表札１のデザイン性をさらに向上させることができる。また表示部１１に加えて装飾プレート３０が取付けられる部分の周辺についても輝かせることができ、光の濃淡によってデザイン性を一層高めることが出きる。
【００３６】
本実施形態に係るＬＥＤ表札１は、ＬＥＤ２０を、表示用プレート１０の裏面に形成した非貫通の凹部１２に収納しており、表示用プレート１０のおもて面には雨水が浸入してＬＥＤ２０に達する部分を設けていない。従って、ＬＥＤ２０が雨水によって劣化するのを確実に防止することができる。
【００３７】
また、この表示用プレート１０はＬＥＤ２０を収納するための貫通式の孔部を形成していないので、高い剛性を発揮することができる。また、ＬＥＤ２０用の貫通式の孔部が存在しないので、その部分に雨水が溜まり、錆が発生し、あるいは汚れが溜まり、見栄えが悪くなるといった事態を未然に防止することができる。
【００３８】
さらに、このＬＥＤ表札１は、矩形状の表示用プレート１０とＬＥＤ２０と電源供給用回路２３，２４と矩形状の装飾プレート３０とで構成しているので構成が極めて簡易である。従って、製造を容易とし、製造コストも廉価に抑えることができる。
【００３９】
また、このＬＥＤ表札１を構成する表示用プレート１０および装飾用プレートは共に肉薄（前者は１０ｍｍ前後、後者は数ｍｍ）であるため、壁面Ｗから突出しない。従って、例えば、通行人の邪魔になることがなく、きわめて実用性に優れる。
【００４０】
なお本発明の実施形態に係るＬＥＤ表札１では、右側部分に表示部１１を設けるとともに、左側部分にＬＥＤ２０を設け装飾プレート３０で覆うようにしたが、図９及び図１０に示すように、表示部１１をＬＥＤ２０の上部に位置させるようにしてもよい。
図９及び図１０に示すＬＥＤ表札１は、裏面に、おもて面に対して非貫通の凹部１２が形成されたベースプレート４０と、凹部１２に収納されたＬＥＤ２０と、ＬＥＤ２０に電力を供給する回路２３，２４と、開口部４２ａを有する装飾板４２と、装飾板４２の上に重ねられた表示プレート４１を備えている。表示プレート４１の略中央部には名前またはデザインである表示部１１が形成されていて、その表示部１１を除く部分は非透光性材料で形成してあり、この非透光性材料の部分でＬＥＤ２０を覆い隠している。装飾板４２は、ベースプレート４０のおもて面の、凹部１２と重なる部分に取付けられ、また、表示プレート４１は装飾板４２の矩形状の開口部４２ａの大きさよりも僅かに大きい矩形状としている。
ここでは、表示プレート４１と装飾板４２をベースプレート４０の左側面よりも左側に突出させたデザインにしているが特に限定されるものではない。
【００４１】
これによれば、ＬＥＤ２０を、ベースプレート４０の裏面におもて面に対して貫通しないように形成した凹部１２に収納しているので、ベースプレート４０のおもて面には雨水が浸入してＬＥＤ２０に達する部分が存在しない。従って、ＬＥＤ２０が雨水によって劣化するのを確実に防止することができる。また、このベースプレート４０は、ＬＥＤ２０を収納するための貫通した孔部を持たないので、高い剛性を維持することができる。また、ＬＥＤ２０用の孔部が存在しないので、ベースプレート４０のおもて面に錆が発生し、あるいは汚れが付着し、見栄えが悪くなるといった事態も発生しない。
さらに、ＬＥＤ２０については、表示部１１が略中央部に形成されその表示部１１を除く部分を非透光性材料で形成してなる表示プレート４１で覆い隠すようにしたので見栄えが良い。
【００４２】
また、表示プレート４１を装飾板４２の上に重ねて装飾板４２の開口部４２ａを介して導かれるＬＥＤ２０からの光で表示部１１を輝かせるようにしたので、光はベースプレート４０の内部だけでなく開口部４２ａとなる空間も通過して表示部１１に導かれる。これにより表示部１１のエッヂの部分だけでなく内部についても明るく輝かせることができる。また、ベースプレート４０と表示プレート４１の間に装飾板４２を設けたのでデザイン性が向上する。
【００４３】
なお、ここでは、表示プレート４１を装飾板４２の上に重ねて設けたが、装飾板４２を省略して表示プレート４１を直接、ベースプレート４０の上に設けることもできる。
このとき、表示プレート４１はその分、厚みがあるが、これを、図１１及び図１２に示すように、薄膜状の表示膜４５で形成することもできる。
【００４４】
図１１及び図１２に示すＬＥＤ表札１は、裏面に、おもて面に対して非貫通の凹部１２が形成されたベースプレート４０と、凹部１２に収納されたＬＥＤ２０と、ＬＥＤ２０に電力を供給する回路２３，２４と、ベースプレート４０のおもて面の、凹部１２と重なる部分に形成され、少なくとも、ＬＥＤ２０を覆い隠す大きさであるとともに、名前またはデザインである表示部１１が略中央部に形成されその表示部１１を除く部分を非透光性材料で形成してなる表示膜４５と、を備え、ＬＥＤ２０からの光で表示部１１を輝かせるようにしたものである。
表示膜４５の形成方法は特に限定されるものではないが、例えば、ベースプレート４０に対して、色付きで非透光性材料のガラス塗料を高温で焼成し、表示部１１の形状分カットすることによって形成される。
【００４５】
これによれば、ＬＥＤ２０を、ベースプレート４０の裏面におもて面に対して貫通しないように形成した凹部１２に収納しているので、ベースプレート４０のおもて面には雨水が浸入してＬＥＤ２０に達する部分が存在しない。従って、ＬＥＤ２０が雨水によって劣化するのを確実に防止することができる。また、このベースプレート４０は、従来例で示したものとは異なりＬＥＤ２０を収納するための貫通した孔部を持たないので、高い剛性を維持することができる。また、ＬＥＤ２０用の孔部が存在しないので、ベースプレート４０のおもて面に錆が発生し、あるいは汚れが付着し、見栄えが悪くなるといった事態も発生しない。
さらに、ＬＥＤ２０については、表示部１１が略中央部に形成されその表示部１１を除く部分を非透光性材料で形成してなる表示膜４５で覆い隠すようにしたので見栄えが良い。また、表示部１１を表示膜４５に形成しているので全体的に厚みを薄くすることができさらに見栄えが良い。
【符号の説明】
【００４６】
１        ＬＥＤ表札
１０        表示用プレート
１１        表示部
１２        凹部
１３        高透過部
１４        取付部材
１５        取付穴
２０        ＬＥＤ
２１        基板
２２        光センサー
２３        ＡＣアダプタ
２４        差込プラグ
３０        装飾プレート
３１        固定部材
３２        窓穴部
４０        ベースプレート
４１        表示プレート
４２        装飾板
４２ａ      開口部
４５        表示膜
Ｓ        シール材
Ｗ        壁面
【図１】
2011221184.tif 000003
【図２】
2011221184.tif 000004
【図３】
2011221184.tif 000005
【図４】
2011221184.tif 000006
【図５】
2011221184.tif 000007
【図６】
2011221184.tif 000008
【図７】
2011221184.tif 000009
【図８】
2011221184.tif 000010
【図９】
2011221184.tif 000011
【図１０】
2011221184.tif 000012
【図１１】
2011221184.tif 000013
【図１２】
2011221184.tif 000014